【事件の表示】
　平成　５年特許願第　６７５１７号「画像読取装置」拒絶査定に対する審判事件［平成　６年　９月１６日出願公開、特開平　６−２６１１８２］について、次のとおり審決する。
【結　論】
　本件審判の請求は、成り立たない。
【理　由】
１．手続の経緯等
　本願は、平成５年３月３日の出願であって、平成１１年９月１６日付け、平成１３年８月２７日付け、及び平成１４年月３日２５付けの手続補正書によって補正された明細書及び図面の記載から、本願の請求項１に係る発明（以下、本願発明という。）は、特許請求の範囲の請求項１に記載された次のとおりのものである。
　
「光源を有する照明系で照明された透過原稿の画像情報を結像手段により、複数の画素を１次元的に主走査方向へ配列した読取手段面上に結像させ、主走査方向と略直交する副走査方向へ該原稿と該読取手段とを相対的に移動して読み取る画像読取装置において、
　前記透過原稿を照明する光束は副走査方向に比べて主走査方向に長い形状をしており、
　前記照明系は、光源の発光部を主走査方向及び副走査方向の両方の断面内において前記結像手段の瞳面上に結像させ、該結像手段を通過した光束が照明する前記読取手段面上の主走査方向の照明領域の幅が該結像手段を通過した光束が照明する該読取手段面上の副走査方向の照明領域の幅より広くする手段を有することを特徴とする画像読取装置。」
　
２．引用例
　これに対して、原審の拒絶理由で引用された実願昭６３−１５２０４４号（実開平２−７３６２６号）のマイクロフィルム（以下、引用例という。）には図面とともに次の記載がなされている。
　
　（１）「透過原稿を透過した光源の透過光を結像レンズにより被写体にスリット光として投影するためのスリット露光光学系の透過原稿用照明装置であって、前記透過原稿の後方に少なくとも一対のシリンドリカルレンズ、コンデンサーレンズ、ラインフィラメントを有する光源を備え、前記一対のシリンドリカルレンズをこれらシリンドリカルレンズの曲面の母線同志が互いに直交する如く、かつ、一方の前記シリンドリカルレンズの曲面の母線が前記透過原稿のスキャニング方向と平行となる様に配設すると共に前記光源のラインフィラメントの長手方向と前記透過原稿のスキャニング方向とが直交する如く配設し、前記原稿面と結像レンズ近傍において互いに直交する方向に前記ラインフィラメント像を結像することを可能ならしめたことを特徴とする透過原稿用照明装置。」
（明細書第１頁第５−２０行）
　
（２）「（産業上の利用分野）
　本考案はイメージスキャナ、ファクシミリ、コピー等に用いられるスリット露光光学系の照明に係り、特に透過原稿に最適な透過原稿用照明装置に関する。」
（明細書第２頁第２−６行）
　
（３）「（本考案が解決しようとする課題）
　上述の様に、従来、スリット露光光学系を用いたイメージスキャナ、ファクシミリには
（中略）
大部分の光は透過原稿２１を通過するものの、一部の光１が結像レンズ１４を通過せず、大部分の光は無効となり効率のよい照明装置とはなり得なかった。また、第７図に示す従来の
（中略）
前記同様効率のよい照明装置とはなり得なかった。」
（明細書第４頁第９行−第５頁第９行）
　
（４）「（実施例）
　第１図（ａ）は本考案になる透過原稿用照明装置の第１実施例４０の平面図であり、同図（ｂ）は同図（ａ）の側面図である。同図において、４１は透過原稿であり、この透過原稿の後方には曲面をラインフィラメント４６ａ側に向けて対向配置された第１及び第２のシリンドル４２，４３、各種フィルター４４、集光用のコンデンサーレンズ４５、ラインフィラメント４６ａを有する光源４６及び光源反射用の凹面鏡４７が上述の順に配設されている。透過原稿４１の前方には結像レンズ４８、ＣＣＤラインセンサー４９が配設されている。
　また、第１及び第２のシリンドリカルレンズ４２及び４３はこれらのシリンドリカルレンズ４２，４３の曲面の母線４２ａ及び４３ｂが互いに直交する様に、かつ、第１のシリンドリカルレンズの母線４２ａが透過原稿４２のスキャニング方向ｘと平行になるように配設されている。更に、光源４６は、ラインフィラメント４６ａの長手方向（ｙ方向）と透過原稿４１のスキャニング方向（ｘ方向）とが直交するように配設されている。」
（明細書第６頁第９行−第７頁第１０行）
　
（５）「第２図（ａ）は第１図に示す第１実施例４０のラインフィラメントの結像を説明するための平面図であり、同図（ｂ）は同図（ａ）の側面図であり、以下同図と共に作用を説明する。
（中略）
同図（ｂ）に示す側面図では、透過原稿４１面に生じたラインフィラメント像は結像レンズ４８によりＣＣＤラインセンサー４９の上にもピントの合った像を結ぶが、ＣＣＤラインセンサー４９の長手方向にはボケた像が生じるため実質的にラインフィラメント４６ａの像が出力されることは無い。
　但し、ラインフィラメント４６ａの位置は長手方向が正しくスキャニング方向ｘと直交する様に合わせておく必要がある。」
（明細書第７頁第１１行−第８頁第１４行）
　
（６）「第３図（ａ）は本考案になる透過原稿用照明装置の第２実施例５０の平面図、同図（ｂ）は同図（ａ）の側面図であるが、
（中略）
これにより、ランプ等からなる光源４６の交換によってラインフィラメント４６ａの位置が多少ずれたとしてもラインフィラメント４６ａの像がＣＣＤラインセンサー４９の中に入ることはない。
　この拡散板５１による拡散の程度はごくわずかでも効果が大である。
　また、光源４６の交換によりラインフィラメント４６ａの位置がずれても良いように、第２図において、透過原稿４１上のラインフィラメントの像５０の位置を結像レンズ４８側に多少ずらしても効果がある。」
（明細書第８頁第１４行−第９頁第１３行）
　
　したがって、引用例には次の発明が記載されているといえる。
　
「透過原稿を透過した光源の透過光を結像レンズによりＣＣＤラインセンサー４９に投影するための透過原稿用照明装置であって、
　前記透過原稿の後方には、シリンドリカルレンズの曲面の母線が前記透過原稿のスキャニング方向と平行となる様に配設された第１のシリンドリカルレンズ４２、第１のシリンドリカルレンズの曲面の母線とその母線が互いに直交する如く配設された第２のシリンドリカルレンズ４３、コンデンサーレンズ、及びラインフィラメント４６ａを有する光源４６を上述の順に配設すると共に、前記光源のラインフィラメントの長手方向と前記透過原稿のスキャニング方向とが直交する如く配設し、前記第２のシリンドリカルレンズ４３により前記原稿面の近傍において、前記透過原稿のスキャニング方向にピントの合った前記ラインフィラメント像を結像し、前記第１のシリンドリカルレンズ４２により前記結像レンズの近傍において、前記透過原稿のスキャニング方向と直交する方向に向にピントの合った前記ラインフィラメント像を結像することを可能ならしめたことを特徴とする透過原稿用照明装置。」
　
３．対比
　ＣＣＤラインセンサー４９は、複数の画素を１次元的に主走査方向へ配列した読取手段ということができ、「透過原稿のスキャニング方向」との記載は第１図（ｂ）の「透過原稿４１のスキャニング方向（ｘ方向）」のことであるから、引用例の透過原稿用照明装置は光源を有する照明系で照明された透過原稿の画像情報を結像手段により、複数の画素を１次元的に主走査方向へ配列した読取手段面上に結像させ、主走査方向と略直交する副走査方向へ該原稿と該読取手段とを相対的に移動して読み取る画像読取装置といえるものである。
　また、「透過原稿の後方には、シリンドリカルレンズの曲面の母線が前記透過原稿のスキャニング方向と平行となる様に配設された第１のシリンドリカルレンズ４２、第１のシリンドリカルレンズの曲面の母線とその母線が互いに直交する如く配設された第２のシリンドリカルレンズ４３、コンデンサーレンズ、及びラインフィラメント４６ａを有する光源４６を上述の順に配設する」ものであり、「前記第２のシリンドリカルレンズ４３により前記原稿面の近傍において、前記透過原稿のスキャニング方向にピントの合った前記ラインフィラメント像を結像し、前記第１のシリンドリカルレンズ４２により前記結像レンズの近傍において、前記透過原稿のスキャニング方向と直交する方向にピントの合った前記ラインフィラメント像を結像する」ので、コンデンサーレンズにより平行光とされた光束は、副走査方向である透過原稿のスキャニング方向の断面図といえる第１図（ｂ）、及び主走査方向の断面図といえる第１図（ａ）のとおり、透過原稿の原稿面上で副走査方向に比べて主走査方向に長い形状をしている。さらに、「前記第１のシリンドリカルレンズ４２により前記結像レンズの近傍において、前記透過原稿のスキャニング方向と直交する方向に向にピントの合った前記ラインフィラメント像を結像する」のであり、主走査方向の断面図といえる第１図（ａ）のとおり結像レンズの中心に結像するので、照明系は、光源の発光部を主走査方向の断面内において結像手段の瞳面上に結像させるものである。そして、この光束が結像手段である結像レンズを通過して、読取手段であるＣＣＤラインセンサー４９に達するので、第１図（ａ）及び第１図（ｂ）のとおり、結像手段を通過した光束が照明する前記読取手段面上の主走査方向の照明領域の幅が該結像手段を通過した光束が照明する該読取手段面上の副走査方向の照明領域の幅より広くなっている。
　したがって、本願発明と引用例に記載された発明とを対比すると次の点で一致する。
　
「光源を有する照明系で照明された透過原稿の画像情報を結像手段により、複数の画素を１次元的に主走査方向へ配列した読取手段面上に結像させ、主走査方向と略直交する副走査方向へ該原稿と該読取手段とを相対的に移動して読み取る画像読取装置において、
　前記透過原稿を照明する光束は副走査方向に比べて主走査方向に長い形状をしており、
　前記照明系は、光源の発光部を主走査方向の断面内において前記結像手段の瞳面上に結像させ、該結像手段を通過した光束が照明する前記読取手段面上の主走査方向の照明領域の幅が該結像手段を通過した光束が照明する該読取手段面上の副走査方向の照明領域の幅より広くする手段を有することを特徴とする画像読取装置。」
　
　また、次の点で相違する。
　
　相違点
　本願発明は、「前記照明系は、光源の発光部を主走査方向及び副走査方向の両方の断面内において前記結像手段の瞳面上に結像させ、」とあるとおり、副走査方向の断面内においても光源の発光部を結像手段の瞳面上に結像させるのに対して、引用例に記載された発明ではそのような構成となっていない点。
　
４．相違点に対する判断
　前記２．（６）のとおり、引用例には、ラインフィラメント４６ａの位置の多少のずれによりラインフィラメント４６ａの像がＣＣＤラインセンサー４９の中にはいるという問題を、透過原稿４１上のラインフィラメントの像の位置を結像レンズ４８側に多少ずらして解決することが記載されている。透過原稿４１上のラインフィラメントの像の位置を結像レンズ４８側にずらすのであるから、透過原稿のスキャニング方向にピントの合ったラインフィラメント像を結像する第２のシリンドリカルレンズ４３の屈折率を小さくすることになるが、「多少」というのがどの程度のものかは明かではない。しかし、原審の拒絶査定の備考で周知例として引用された特開平２−１８１１３３号公報には、主走査方向及び副走査方向ともに、光源の発光部を結像手段の瞳面上に結像させるいわゆるケーラー照明とすることが示されており、主走査方向の断面内において光源の発光部を結像手段の瞳面上に結像させることと同様に、副走査方向においてもラインフィラメントの像の位置を結像レンズ４８の瞳面上に結像させることに困難な点はない。
　なお、透過原稿のスキャニング方向にピントの合ったラインフィラメント像を結像する第２のシリンドリカルレンズ４３の屈折率を小さくして、ラインフィラメントの像の位置を結像レンズ４８の瞳面上に結像させると、原稿面において、透過原稿のスキャニング方向にピントの合った前記ラインフィラメント像を結像していた場合に比べて、原稿面においてピントが合わないことにより、副走査方向の光束の幅が広がることになるが、第２のシリンドリカルレンズ４３は第１のシリンドリカルレンズ４２より原稿面から光源よりに配設されており、第１のシリンドリカルレンズ４２及び第２のシリンドリカルレンズ４３の両者がラインフィラメントの像を結像レンズ４８の瞳面上に結像させるのであるから、原稿面上では副走査方向の光束の幅が広がるが、それが主走査方向の光束の幅より広くなることはない。同様に、読取手段であるＣＣＤラインセンサー４９面上の副走査方向の照明領域の幅が広がるが、それが主走査方向の照明領域の幅より広くなることはない。そして、副走査方向の光束の幅が広がることにより、照明効率が低下するが、従来のものよりは改善されており、本願発明のものとは同程度である。
　
５．むすび
　したがって、本願の請求項１に係る発明は、上記引用例に記載された発明に基づいて当業者が容易に発明をすることができたものであるから、特許法第２９条第２項の規定により特許を受けることができない。
　よって、結論のとおり審決する。